(57)【要約】  温度調整システム（１００）は、流体接続された構成要素を含む流体回路を含む。流体回路は、第１及び第２の温度調整器（１０５、１１５）、第１及び第２の流量制御装置（１１０、１２０）、流体入力（１０１）、並びに流体出力（１０２）を含む。温度調整システム（１００）は、温度調整器（１０５、１１５）が並列流、直列流又はこれらの組み合わせになりうるように流量制御装置（１１０、１２０）を位置決めする自由度を有する。
2018505375.tif 000002
【特許請求の範囲】
【請求項１】
流体接続された構成要素を含む流体回路を備え、前記流体回路が、第１及び第２の温度調整器、第１及び第２の流量制御装置、流体入力、並びに流体出力を含み、
前記流体入力が、前記第１の温度調整器の上流かつ前記第２の流量制御装置の上流に配置され、
前記流体出力が、前記第１の流量制御装置の下流かつ前記第２の温度調整器の下流に配置され、
前記第１の温度調整器が、前記流体入力の下流、前記第１の流量制御装置の上流、かつ前記第２の流量制御装置の上流に配置され、
前記第２の温度調整器が、前記第２の流量制御装置の下流かつ前記流体出力の上流に配置され、
前記第１の流量制御装置が、前記第１の温度調整器の下流かつ前記流体出力の上流に配置され、
前記第２の流量制御装置が、前記流体入力の下流、前記第１の温度調整器の下流、かつ前記第２の温度調整器の上流に配置された、温度調整システム。
【請求項２】
前記第１の流量制御装置が、二方弁を含む、請求項１に記載の温度調整システム。
【請求項３】
前記第２の流量制御装置が、三方弁を含む、請求項１に記載の温度調整システム。
【請求項４】
前記第２の流量制御装置が、更に、逆止め弁と二方弁とを含み、
前記逆止め弁が、前記第１の温度調整器の下流かつ前記第２の温度調整器の上流に配置され、前記逆止め弁が、流体を調整して前記第１の温度調整器から前記第２の温度調整器に一方向に流れるようにし、
前記二方向弁が、前記流体入力の下流かつ前記第２の温度調整器の上流に配置された、請求項１に記載の温度調整システム。
【請求項５】
前記第１又は第２の温度調整器が、少なくとも１つの冷却装置又は少なくとも１つの加熱装置を含む、請求項１に記載の温度調整システム。
【請求項６】
コントローラを更に含み、前記コントローラが、前記温度調整器と前記流量制御装置を制御する、請求項１に記載の温度調整システム。
【請求項７】
前記流体回路が、更に、第３の温度調整器、並びに第３及び第４の流量制御装置を含み、
前記第３の温度調整器が、前記第４の流量制御装置の下流、かつ前記流体出力の上流に配置され、
前記第３の流量制御装置が、前記第２の温度調整器の下流、かつ前記流体出力の上流に配置され、
前記第４の流量制御装置が、前記流体入力の下流、前記第２の温度調整器の下流、かつ前記第３の温度調整器の上流に配置された、請求項１に記載の温度調整システム。
【請求項８】
前記第３の流量制御装置が、二方弁を含む、請求項７に記載の温度調整システム。
【請求項９】
前記第４の流量制御装置が、三方弁を含む、請求項７に記載の温度調整システム。
【請求項１０】
前記第４の流量制御装置が、更に、逆止め弁と二方弁とを含み、
前記逆止め弁が、前記第２の温度調整器の下流かつ前記第３の温度調整器の上流に配置され、前記逆止め弁が、流体を調整して前記第２の温度調整器から前記第３の温度調整器に一方向に流れるようにし、
前記二方向弁が、前記流体入力の下流、かつ前記第３の温度調整器の上流に配置された、請求項７に記載の温度調整システム。
【請求項１１】
前記第３の温度調整器が、少なくとも１つの冷却装置又は少なくとも１つの加熱装置を含む、請求項７に記載の温度調整システム。
【請求項１２】
前記流体回路が、更に、前記第４の温度調整器並びに前記第５及び第６の流量制御装置を含み、
前記第４の温度調整器が、前記第６の流量制御装置の下流、かつ前記流体出力の上流に配置され、
前記第５の流量制御装置が、前記第３の温度調整器の下流、かつ前記流体出力の上流に配置され、
前記第６の流量制御装置が、前記流体入力の下流、前記第３の温度調整器の下流、かつ前記第４の温度調整器の上流に配置された、請求項７に記載の温度調整システム。
【請求項１３】
前記第５の流量制御装置が、二方弁を含む、請求項１２に記載の温度調整システム。
【請求項１４】
前記第６の流量制御装置が、三方弁を含む、請求項１２に記載の温度調整システム。
【請求項１５】
前記第６の流量制御装置が、更に、逆止め弁と二方弁とを有し、
前記逆止め弁が、前記第３の温度調整器の下流、かつ前記第４の温度調整器の上流に配置され、前記逆止め弁が、流体を調整して前記第３の温度調整器から前記第４の温度調整器に一方向に流れるようにし、
前記二方向弁が、前記流体入力の下流、かつ前記第４の温度調整器の上流に配置された、請求項１２に記載の温度調整システム。
【請求項１６】
流体接続された構成要素を含む流体回路を備え、前記流体回路が、総数ｉ個の温度調整器と（ここで、ｉ＝１，２，３，４，．．．Ｎ。Ｎは２以上の任意の正整数）、総数（２Ｎ−２）個の流量制御装置と、流体入力と、流体出力とを含み、
ｉ＝１のとき、
第ｉの温度調整器が、前記流体入力の下流、第（２ｉ−１）の流量制御装置の上流、かつ第（２ｉ）の流量制御装置の上流に配置され、
第（２ｉ−１）の流量制御装置が、前記第ｉの温度調整器の下流かつ前記流体出力の上流に配置され、
第（２ｉ）の流量制御装置が、前記流体入力の下流、前記第ｉの温度調整器の下流、かつ前記第（ｉ＋１）の温度調整器の上流に配置され、
１＜ｉ＜Ｎのとき、
前記第ｉの温度調整器が、前記第（２ｉ−２）の流量制御装置の下流、前記第（２ｉ−１）の流量制御装置の上流、かつ前記第（２ｉ）の流量制御装置の上流に配置され、
前記第（２ｉ−１）の流量制御装置が、前記第ｉの温度調整器の下流、かつ前記流体出力の上流に配置され、
前記第（２ｉ）の流量制御装置が、前記流体入力の下流、前記第ｉの温度調整器の下流、かつ前記第（ｉ＋１）の調整器の上流に配置され、
ｉ＝Ｎのとき、
前記第ｉの温度調整器が、前記第（２ｉ−２）の流量制御装置の下流、かつ前記流体出力の上流に配置された温度調整システム。
【請求項１７】
温度調整システムを制御する方法であって、
前記システムに流れ込む作動流体の量に関する情報を受け取るステップと、
前記作動流体の目標温度を決定するステップと、
前記作動流体の目標温度を取得するために前記温度調整システムの動作を決定するステップとを備え、更に、
前記流体量がしきい値量より少ないとき、前記温度調整システム内の少なくとも２つの温度調整器が直列流になるように流量制御装置を位置決めするステップを備える、温度調整システムを制御する方法。
【請求項１８】
流体量に関する情報を受け取る前記ステップが、更に、
作動流体可用性に関する情報を受け取るステップ及び／又は
前記作動流体の要求量に関する情報を受け取るステップを更に含む、請求項１７に記載の方法。
【請求項１９】
作動流体可用性に関する情報を受け取る前記ステップが、
前記作動流体供給に関する情報を受け取るステップ及び／又は
政府規制に関する情報を受け取るステップを含む、請求項１８に記載の方法。
【請求項２０】
前記作動流体の要求量に関する情報を受け取る前記ステップが、
予測可能な予定に関する情報を受け取るステップを含む、請求項１８に記載の方法。
【請求項２１】
目標温度を決定する前記ステップが、
流体入力における流体温度に関する情報を受け取るステップ、
流体出力における流体温度に関する情報を受け取るステップ、
室内温度に関する情報を受け取るステップ及び／又は
室外温度に関する情報を受け取るステップを含む，請求項１７に記載の方法。
【請求項２２】
前記温度調整システムの動作を決定する前記ステップが、
前記温度調整器の作業負荷の情報を受け取るステップ及び／又は
前記温度調整器の冷却／加熱能力を調整するステップを含む、請求項１７に記載の方法。
【発明の詳細な説明】
【技術分野】
【０００１】
本開示は、温度調整システム及びその制御方法に関する。より具体的には、本開示は、少なくとも２つの温度調整器と少なくとも２つの流量制御装置と含む温度調整システムに関する。流量制御装置は、１つの温度調整器が１つ以上の他の温度調整器と並列及び／又は直列流になりうるような異なる位置になりうる。
【背景技術】
【０００２】
作動流体を加熱又は冷却するために温度調整器が使用されうる。作動流体は、例えば水や冷媒などでよい。複数の温度調整器を同時に使用して所望の冷却又は加熱能力を達成できる。
【発明の概要】
【課題を解決するための手段】
【０００３】
本開示は、温度調整システム及びその制御方法に関する。より具体的には、本開示は、少なくとも２つの温度調整器と少なくとも２つの流量制御装置とを含む温度調整システムに関する。流量制御装置は、１つの温度調整器が１つ以上の他の温度調整器と並列及び／又は直列流になりうるような異なる位置になりうる。
【０００４】
流量制御装置の「位置」は、温度調整システム内の特定の流体流を開きかつ／又は閉じるために定義される。例えば、流量制御装置が二方弁のとき、流量制御装置は、流体流を止める閉位置にもなり、又は流体流を許可する開位置にもなりうる。別の例では、流量制御装置が、入出力のポートＡ、Ｂ及びＣを有する三方弁のとき、流量制御装置は、Ａで流体流を止めかつＢとＣの間の流体流を許可する位置にもなり、又はＢで流体流を止めかつＡとＣの間の流体流を許可する位置にもなりうる。
【０００５】
「流れ」は、温度調整システム内の作動流体が、例えば、並列流、直列流及び／又はこれらの組み合わせで流れる流れ方で定義される。例えば、作動流体は、２つ以上の温度調整器内に並列流で流れうる。別の例では、作動流体は、２つ以上の温度調整器内に直列流で流れうる。
【０００６】
「接続」は、温度調整システム内の構成要素の物理構造的な接続を意味する。温度調整システムの特定の接続は、流量制御装置が接続位置を変更できるので、様々な流体流、例えば並列流及び／又は直列流を可能にしうる。
【０００７】
本開示は、温度調整システム及びその制御方法の様々な実施形態を提供し、温度調整システム内の流量制御装置の位置は、温度調整システム内の温度調整器が直列及び／又は並列流になりうるように変更されうる。本開示は、流体流を並列流、直列流又はこれらの組み合わせの間で変更する自由度を有する温度調整システムの様々な実施形態を提供する。
【０００８】
本開示の実施形態による自由度の利点を示すために、以下の例を検討する。１つの温度調整システムは、流体流を並列流から直列流に変更する自由度を有していない。この温度調整システムは、並列流の２つのモジュール式水冷却器、例えば、作動流体として水を使用する２つのモジュール式温度調整器を有する。モジュール式水冷却器は、システムの設計及び必要性により、システムの冷却能力を増減するためにシステムに対して追加又は除去できる水冷却器である。ひとつの状況では、水流量は、その最大流量能力より少ない、例えば、その最大流量の５０％である。この状況では、例えば２つの温度調整器の一方だけを作動させ同時に他方のユニットを遮断できる。その理由は、並列流の温度調整器を両方とも同時に５０％流体流量で作動させた場合、流体流量が不十分なために温度調整器ユニットが破損しうるからである。２つの温度調整器のうちの一方だけを使用すると、他方の調整器が作動していないので、システムの冷却能力の５０％が使用されない可能性がある。しかしながら、この例の温度調整システムが、流体流を変更して並列流の２つの温度調整器を直列流に変更できる自由度を有する場合は、両方の温度調整器の冷却能力を使用でき、同時に不十分な流体流による温度調整器の破損の可能性を回避しうる。
【０００９】
本開示は、温度調整器の流体流、例えば、直列及び／又は並列流を変更する能力を提供する様々な温度調整システム及びその制御方法を提供する。換言すると、一実施形態によれば、特定の接続状態にある温度調整システムは、並列流及び／又は直列流の互換性を有しうる。そのような互換性は、流量制御装置の位置の制御によって達成されうる。例えば、１つの流量制御装置位置では、温度調整器は並列流でありうる。別の流量制御装置位置では、温度調整器は直列流でありうる。別の流量制御装置位置では、温度調整器を組に分割でき、組間で組は並列流であり、各組内で調整器は直列流である。
【００１０】
一実施形態では、例として、温度調整システムは、ある特定の接続により２つの温度調整器と２つの流量制御装置を含む。接続状態で、例えば流体流量が１００％のとき、流量制御装置は、２つの温度調整器が並列流になるような位置になりうる。同じ接続状態で、例えば流体流量が５０％のとき、流量制御装置は、２つの温度調整器が直列流になるような位置になりうる。
【００１１】
別の実施形態では、例として、温度調整システムは、ある特定の接続で３つの温度調整器と４つの流量制御装置を含む。接続状態で、例えば流体流量が１００％のとき、流量制御装置は、３つの温度調整器が並列流になるような位置になりうる。同じ接続状態で、例えば作動流体流量が３３％のとき、流量制御装置は、３つの温度調整器が直列流になるような位置になりうる。
【００１２】
別の実施形態では、例として、温度調整システムは、ある特定の接続で４つの温度調整器と６つの流量制御装置を含む。接続状態で、例えば流体流量が１００％のとき、流量制御装置は、４つの温度調整器が並列流になるような位置になりうる。同じ接続状態で、例えば作動流体流量が５０％のとき、流量制御装置は、４つの温度調整器が２つの組、組１と組２に分割されるような位置になり、組１と組２がそれぞれ２つの温度調整器を含みうる。組１は組２と並列流である。更に、各組内で、２つの温度調整器が直列流である。同じ接続状態で、例えば作動流体流量が２５％のとき、流量制御装置は、４つの温度調整器が全て直列流になるような位置になりうる。
【００１３】
「温度調整器」は、少なくとも１つの冷却装置、少なくとも１つの加熱装置又はこれらの組み合わせを含みうる。冷却装置は、熱交換によって、水、油、冷媒などの作動流体から熱を除去できる任意の装置として理解されるべきである。一実施形態で、冷却装置は、冷却器である。別の実施形態では、冷却装置は、水冷却器である。更に別の実施形態では、冷却装置は、モジュール式水冷却器である。加熱装置は、熱交換によって、水、油、冷媒などの作動流体に熱を加えうる任意の装置として理解されるべきである。一実施形態では、加熱装置は、水加熱器である。別の実施形態では、加熱装置は、モジュール式水加熱器である。
【００１４】
一実施形態では、温度調整システムは、主作動流体として例えば水を使用する放射天井冷却で使用されうる。別の実施形態では、温度調整システムは、主作動流体として例えば水を使用する放射床面加熱で使用されうる。一実施形態では、温度調整システムは、例えば、ホテル、病院、学校、共同住宅、ショッピングモール、会議場、住宅、競技場などの建物及び密閉空間及び／又は室内で使用されうる。
【００１５】
本開示は、総数Ｎ個の温度調整器を含む温度調整システムを提供し、各温度調整器は、第ｉの温度調整器として表され、ここでｉ＝１，２，３，４，．．．Ｎであり、Ｎは２以上の任意の正整数である。流体回路は、更に、総数（２Ｎ−２）個の流量制御装置、１つの流体入力、及び１つの流体出力を含む。
【００１６】
例えば、一実施形態では、温度調整システムは、流体接続された構成要素を含む流体回路を含む。流体回路は、第１の温度調整器、第２の温度調整器、第１の流量制御装置、第２の流量制御装置、流体入力、及び流体出力を含む。流体回路内で、流体入力は、第１の温度調整器の上流かつ第２の流量制御装置の上流に配置される。流体出力は、第１の流量制御装置の下流かつ第２の温度調整器の下流に配置される。第１の温度調整器は、流体入力の下流、第１の流量制御装置の上流かつ第２の流量制御装置の上流に配置される。第２の温度調整器は、第２の流量制御装置の下流かつ流体出力の上流に配置される。第１の流量制御装置が、第１の温度調整器の下流かつ流体出力の上流に配置される。第２の流量制御装置が、流体入力の下流、第１の温度調整器の下流かつ第２の温度調整器の上流に配置される。
【００１７】
「流量制御装置」は、流体流を制御するための１つ以上の装置、例えば１つ以上の弁を含みうる。流量制御装置は、適切な流体流を確立できる流量制御装置、例えば、弁の任意の組み合わせでよいことを理解されたい。例えば、一実施形態では、流量制御装置は、二方弁を含む。一実施形態では、流量制御装置は、三方弁を含む。別の実施形態では、流量制御装置は、逆止め弁と二方弁を含む。
【００１８】
温度調整システム内の流量制御装置には様々な装置が含まれうる。一実施形態では、温度調整システム内で、ひとつの流量制御装置が二方弁であり、別の流量制御装置が三方弁である。別の実施形態では、温度調整システム内で、ひとつの流量制御装置が二方弁であり、別の流量制御装置が逆止め弁と二方弁の組み合わせである。
【００１９】
温度調整システムを制御する方法の一実施形態は、システムに流れ込む作動流体の量（例えば流量）に関する情報を受け取るステップと、作動流体の目標温度を決定するステップと、作動流体の目標温度を達成するために温度調整システムの動作を決定するステップとを含む。温度調整システムの動作を決定するステップは、更に、流体量がしきい値量より少ないときに、温度調整システム内の少なくとも２つの温度調整器が直列流になるように流量制御装置を位置決めるステップを含む。
【００２０】
「しきい値量」は、不十分な流体流量により破損することなくシステム内の特定数の温度調整器が並列流で動作するのに十分な、温度調整システムに流れ込む特定の流体量（例えば、流量）として定義される。いくつかの状況では、特定数の温度調整器は、システム内の全ての温度調整器を意味する。いくつかの状況では、特定数の温度調整器は、システム内の全てより少ない温度調整器を意味する。
【００２１】
一実施形態では、温度調整システムは、４つの調整器を有し、各調整器は、不十分な流体流による破損を回避するために、最大流体流供給量の２５％を必要とする。実施形態の第１の状況では、４つの調整器は全て並列流である。この第１の状況では、しきい値量は、最大流体流供給量の１００％である。実施形態の第２の状況では、４つの調整器が、２組（例えば、組１と組２）に分けられる。各組内で、温度調整器は直列流である。２つの組間で、組は並列流である。この第２の状況では、しきい値量は、最大流体流供給量の５０％である。第３の状況では、４つの調整器は全て直列流である。この第３の状況では、しきい値量は、最大流体流供給量の２５％である。一実施形態では、しきい値量は、システムを調べることによって事前決定されうる。
【図面の簡単な説明】
【００２２】
【図１Ａ】２つの温度調整器と２つの流量制御装置とを有する温度調整システムの一実施形態を示す図である。
【図１Ｂ】２つの温度調整器と２つの流量制御装置とを有する温度調整システムの別の実施形態を示す図である。
【図２Ａ】３つの温度調整器と４つの流量制御装置とを有する温度調整システムの一実施形態を示す図である。
【図２Ｂ】３つの温度調整器と４つの流量制御装置とを有する温度調整システムの別の実施形態を示す図である。
【図３Ａ】４つの温度調整器と６つの流量制御装置とを有する温度調整システムの一実施形態を示す図である。
【図３Ｂ】４つの温度調整器と６つの流量制御装置とを有する温度調整システムの別の実施形態を示す図である。
【図４】温度調整システムの制御方法の一実施形態を示す図である。
【図５】１つのコントローラ、２つの温度調整器及び２つの流量制御装置を有する温度調整システムの一実施形態を示す図である。
【発明を実施するための形態】
【００２３】
用語「〜の上流」及び「〜の下流」は、流体接続された構成要素を含む流体回路内での流体流方向の相対位置を示す。流体は、上流から下流に流れる。例えば、構成要素Ａが構成要素Ｂの下流に配置されるとは、流体が構成要素Ｂから構成要素Ａに流れることを意味する。別の例では、構成要素Ａが構成要素Ｂの下流に配置されるとは、ＢがＡの上流に配置されることと同じ意味を有する。この段落では、構成要素は、非配管及び非通過型のシステム構成要素、例えば、温度調整器、流量制御装置、油分離器、熱交換器などを意味する。いくつかの実施形態では、「下流（又は上流）に配置された」は、流体が、ある構成要素から別の構成要素に、それらの間に中間構成要素が配置されることなく直接流れうることを意味する。例えば、構成要素Ａが構成要素Ｂの下流に配置されるとは、構成要素Ｂと構成要素Ａの間に何も中間構成要素なしに流体がＢからＡに直接流れることを意味する。いくつかの他の実施形態では、「下流（又は上流）に配置された」とは、流体が、ある構成要素から別の構成要素に、それらの間に中間構成要素が配置された状態で間接的に流れうることを意味する。例えば、構成要素Ａが構成要素Ｂの下流に配置されるとは、構成要素Ｂと構成要素Ａの間に１つ以上の中間構成要素がある状態で流体がＢからＡに間接的に流れることを意味する。
【００２４】
図１Ａと図１Ｂは、２つの温度調整器と２つの流量制御装置とを備えた温度調整システムの２つの異なる実施形態を示す。流量制御装置は、流体流を制御するための１つ以上の装置、例えば１つ以上の弁を含みうる。流量制御装置は、適切な流体流を確立できる装置、例えば、弁の任意の組み合わせでよいことを理解されたい。例えば、一実施形態では、流量制御装置は、二方弁を含む。一実施形態では、流量制御装置は、三方弁を含む。別の実施形態では、流量制御装置は逆止め弁と二方弁を含む。
【００２５】
図１Ａは、２つの温度調整器と２つの流量制御装置とを備えた温度調整システム１００の一実施形態を示す。図１Ａでは、温度調整システム１００の一実施形態は、流体接続された構成要素を含む流体回路を含む。流体回路は、第１の温度調整器１０５、第２の温度調整器１１５、第１の流量制御装置１１０、第２の流量制御装置１２０、流体入力１０１、及び流体出力１０２を含む。
【００２６】
流体回路内で、流体入力１０１が、第１の温度調整器１０５の上流かつ第２の流量制御装置１２０の上流に配置される。流体出力１０２は、第１の流量制御装置１１０の下流かつ第２の温度調整器１１５の下流に配置される。
【００２７】
第１の温度調整器１０５は、流体入力１０１の下流、第１の流量制御装置１１０の上流、かつ第２の流量制御装置１２０の上流に配置される。第２の温度調整器は、第２の流量制御装置１２０の下流、かつ流体出力１０２の上流に配置される。
【００２８】
第１の流量制御装置１１０は、第１の温度調整器１０５の下流、かつ流体出力１０２の上流に配置される。第２の流量制御装置１２０は、流体入力１０１の下流、第１の温度調整器１０５の下流、かつ第２の温度調整器１１５の上流に配置される。図１Ａに示されたように、第１の流量制御装置１１０は、二方弁１１１である。第２の流量制御装置１２０は、三方弁１２１である。
【００２９】
図１Ｂは、２つの温度調整器と２つの流量制御装置とを有する温度調整システム１００の別の実施形態を示す。図１Ｂに示されたように、第１の流量制御装置１１０は、二方弁１６０でよい。別の実施形態では、第２の流量制御装置１２０は、逆止め弁１７０と二方弁１７５を含みうる。逆止め弁１７０は、第１の温度調整器１０５の下流かつ第２の温度調整器１１５の上流に配置される。逆止め弁１７０は、流体を調整して第１の温度調整器１０５から第２の温度調整器１１５に一方向に流れるようにする。二方向弁１７５は、流体入力１０１の下流かつ第２の温度調整器１１５の上流に配置される。
【００３０】
一実施形態では、図１Ａと図１Ｂに示されたように、第１の流量制御装置１１０と第２の流量制御装置１２０は、第１の温度調整器１０５と第２の温度調整器１１５が並列流になりうるような位置でありうる。第１の流量制御装置１１０は開位置であり、作動流体は、第１の温度調整器１０５から流体出力１０２に流れ、例えば直接流れうる。第２の流量制御装置１２０は、作動流体が第１の温度調整器１０５から第２の温度調整器１１５に流れず、かつ流体入力１０１から第２の温度調整器１１５への流体流（例えば、直接流）がありうるような位置にある。
【００３１】
別の実施形態では、図１Ａと図１Ｂに示されたように、第１の流量制御装置１１０と第２の流量制御装置１２０は、第１の温度調整器１０５と第２の温度調整器１１５が直列流でありうるような位置でありうる。第１の流量制御装置１１０は閉位置であり、作動流体は、第１の温度調整器１０５から流体出力１０２に流れることができない。第２の流量制御装置１２０は、作動流体が第１の温度調整器１０５から第２の温度調整器１１５に流れ、例えば直接流れることができ、流体が流体入力１０１から第２の温度調整器１１５に流れることができないような位置である。
【００３２】
一実施形態では、第１の温度調整器１０５及び／又は第２の温度調整器１１５は、少なくとも１つの冷却装置、少なくとも１つの加熱装置、又はこれらの組み合わせを含みうる。冷却装置は、熱交換によって液体から熱を除去できる任意の装置として理解されたい。一実施形態では、冷却装置は、冷却器である。別の実施形態では、冷却装置は、水冷却器である。更に別の実施形態では、冷却装置は、モジュール式水冷却器である。加熱装置は、熱交換によって液体に熱を加えうる任意の装置として理解されたい。一実施形態では、加熱装置は、水加熱器である。別の実施形態では、加熱装置は、モジュール式水加熱器である。
【００３３】
図２Ａは、３つの温度調整器と４つの流量制御装置とを有する温度調整システム２００の一実施形態を示す。一実施形態では、図２Ａに示されたように、温度調整システム２００は、流体接続された構成要素を含む流体回路を含む。流体回路は、第１の温度調整器２０５、第２の温度調整器２２０、第３の温度調整器２３５、第１の流量制御装置２１０、第２の流量制御装置２１５、第３の流量制御装置２２５、第４の流量制御装置２３０、流体入力２０１、及び流体出力２０２を有する。
【００３４】
流体入力２０１は、第１の温度調整器２０５の上流、第２の流量制御装置２１５と第４の流量制御装置２３０の上流に配置される。流体出力２０２は、第１の流量制御装置２１０と第３の流量制御装置２２５の下流、かつ第３の温度調整器２３５の下流に配置される。
【００３５】
第１の温度調整器２０５は、流体入力２０１の下流、第１の流量制御装置２１０の上流、かつ第２の流量制御装置２１５の上流に配置される。第２の温度調整器２２０は、第２の流体制御装置２１５の下流、第３の流量制御装置２２５の上流、かつ第４の流量制御装置２３０の上流に配置される。第３の温度調整器２３５は、第４の流量制御装置２３０の下流かつ流体出力２０２の上流に配置される。
【００３６】
第１の流量制御装置２１０は、第１の温度調整器２０５の下流かつ流体出力２０２の上流に配置される。第２の流量制御装置２１５は、流体入力２０１の下流、第１の温度調整器２０５の下流、かつ第２の温度調整器２２０の上流に配置される。第３の流量制御装置２２５は、第２の温度調整器２２０の下流かつ流体出力２０２の上流に配置される。第４の流量制御装置２３０は、流体入力２０１の下流、第２の温度調整器２２０の下流、かつ第３の温度調整器２３５の上流に配置される。
【００３７】
図２Ａと図２Ｂに示されたように、一実施形態では、第１の流量制御装置２１０は、二方弁２１１でよい。一実施形態では、第３の流量制御装置２２５は、二方弁２２６でよい。
【００３８】
図２Ａに示されたように、一実施形態では、第２の流量制御装置２１５は、三方弁２１６でよい。別の実施形態では、第４の流量制御装置２３０は、三方弁２３１でよい。
【００３９】
図２Ｂに示されたように、一実施形態では、第２の流量制御装置２１５は、逆止め弁２１８と二方弁２１７を含みうる。逆止め弁２１８は、第１の温度調整器２０５の下流かつ第２の温度調整器２２０の上流に配置される。逆止め弁２１８は、流体を調整して第１の温度調整器２０５から第２の温度調整器２２０に一方向に流れるようにする。二方向弁２１７は、流体入力２０１の下流かつ第２の温度調整器２２０の上流に配置される。
【００４０】
図２Ｂに示されたように、第４の流量制御装置２３０は、逆止め弁２３３と二方弁２３２を含みうる。逆止め弁２３３は、第２の温度調整器２２０の下流かつ第３の温度調整器２３５の上流に配置される。逆止め弁２３３は、流体を調整して第２の温度調整器２２０から第３の温度調整器２３５に一方向に流れるようにする。二方向弁２３２は、流体入力２０１の下流かつ第３の温度調整器２３５の上流に配置される。
【００４１】
一実施形態では、流量制御装置２１０，２１５，２２５，２３０は、温度調整器２０５，２２０，２３５（図２Ａと図２Ｂに示されたような）が並列流になるような位置にある。この実施形態では、第１の流量制御装置２１０と第３の流量制御装置２２５は開位置にあり、作動流体は、第１の温度調整器２０５と第２の温度調整器２２０から流体出力２０２に流れ、例えば、直接流れうる。この実施形態では、第２の流量制御装置２１５は、第１の温度調整器２０５から第２の温度調整器２２０への作動流体の流れがないが、流体入力２０１から第２の温度調整器２２０への作動流体の流れ、例えば、直接流があるような位置にある。この実施形態では、第４の流量制御装置２３０は、第２の温度調整器２２０から第３の温度調整器２３５への作動流体の流れがないが、流体入力２０１から第３の温度調整器２３５への作動流体の流れ、例えば、直接流がある位置にある。別の実施形態では、流量制御装置２１０，２１５，２２５，２３０は、温度調整器２０５，２２０，２３５（図２Ａと図２Ｂに示されたように）が直列流になるような位置にある。この実施形態では、第１の流量制御装置２１０と第３の流量制御装置２２５は閉位置にあり、作動流体は、第１の温度調整器２０５と第２の温度調整器２２０から流体出力２０２に流れることができない。この実施形態では、第２の流量制御装置２１５は、作動流体が第１の温度調整器２０５から第２の温度調整器２２０に流れ、例えば直接流れうるが、作動流体が流体入力２０１から第２の温度調整器２２０に流れることができないような位置にある。この実施形態では、第４の流量制御装置２３０は、作動流体が第２の温度調整器２２０から第３の温度調整器２３５に流れ、例えば直接流れうるが、作動流体が流体入力２０１から第３の温度調整器２３５に流れることができないような位置にある。
【００４２】
別の実施形態では、流量制御装置２１０，２１５，２２５，２３０は、温度調整器２０５，２２０，２３５（図２Ａと図２Ｂに示されたような）が２つの組（組１と組２）に分割されるような位置にある。組１と組２は、並列流である。しかしながら、各組内で、温度調整器は直列流である。
【００４３】
一実施形態では、図２Ａと図２Ｂに示されたように、組１は、第１の温度調整器２０５と第２の温度調整器２２０を含んでもよく、第１の温度調整器２０５と第２の温度調整器２２０は直列流でもよい。組２は、第３の温度調整器２３５を含む。この実施形態では、第１の流量制御装置２１０は、閉位置にあり、作動流体は、第１の温度調整器２０５から流体出力２０２に流れることができない。第２の流量制御装置２１５は、作動流体が第１の温度調整器２０５から第２の温度調整器２２０に流れ、例えば直接流れうるが、作動流体が流体入力２０１から第２の温度調整器２２０に流れることができないような位置にある。第３の流量制御装置２２５は開位置にあり、作動流体は、第２の温度調整器２２０から流体出力２０２まで流れ、例えば直接流れうる。第４の流量制御装置２３０は、作動流体が第２の温度調整器２２０から第３の温度調整器２３５に流れることができないが、作動流体が流体入力２０１から第３の温度調整器２３５に流れ、例えば直接流れうるような位置にある。
【００４４】
一実施形態では、第１の温度調整器２０５、第２の温度調整器２２０及び／又は第３の温度調整器２３５が、少なくとも１つの冷却装置、少なくとも１つの加熱装置、又はこれらの組み合わせを含みうる。冷却装置は、熱交換によって液体から熱を除去できる任意の装置として理解されたい。一実施形態では、冷却装置は、冷却器である。別の実施形態では、冷却装置は、水冷却器である。更に別の実施形態では、冷却装置は、モジュール式水冷却器である。加熱装置は、熱交換によって液体に熱を加えうる任意の装置として理解されたい。一実施形態では、加熱装置は、水加熱器である。別の実施形態では、加熱装置は、モジュール式水加熱器である。
【００４５】
図３Ａは、４つの温度調整器と６つの流量制御装置とを有する温度調整システム３００の一実施形態を示す。一実施形態では、図３Ａに示されたように、温度調整システム３００は、流体接続された構成要素を含む流体回路を含む。流体回路は、第１の温度調整器３０５、第２の温度調整器３２０、第３の温度調整器３３５、第４の温度調整器３４９、第１の流量制御装置３１０、第２の流量制御装置３１５、第３の流量制御装置３２５、第４の流量制御装置３３０、第５の流量制御装置３４０、第６の流量制御装置３４５、流体入力３０１、及び流体出力３０２を含む。
【００４６】
温度調整システム３００では、流体入力３０１は、第１の温度調整器３０５の上流、かつ第２の流量制御装置３１６、第４の流量制御装置３３１及び第６の流量制御装置３４６の上流に配置される。
【００４７】
流体出力３０２は、第１の流量制御装置３１０、第３の流量制御装置３２５及び第５の流量制御装置３４０の下流、かつ第４の温度調整器３４９の下流に配置される。
【００４８】
第１の温度調整器３０５は、流体入力３０１の下流、第１の流量制御装置３１０の上流、かつ第２の流量制御装置３１５の上流に配置される。第２の温度調整器３２０は、第２の流体制御装置３１５の下流、第３の流量制御装置３２５の上流、かつ第４の流量制御装置３３０の上流に配置される。第３の温度調整器３３５は、第４の流体制御装置３３０の下流、第５の流量制御装置３４０の上流、かつ第６の流量制御装置３４５の上流に配置される。第４の温度調整器３４９は、第６の流量制御装置３４５の下流、かつ流体出力３０２の上流に配置される。
【００４９】
第１の流量制御装置３１０は、第１の温度調整器３０５の下流かつ流体出力３０２の上流に配置される。第２の流量制御装置３１５は、流体入力３０１の下流、第１の温度調整器３０５の下流、かつ第２の温度調整器３２０の上流に配置される。第３の流量制御装置３２５は、第２の温度調整器３２０の下流かつ流体出力３０２の上流に配置される。第４の流量制御装置３３０は、流体入力３０１の下流、第２の温度調整器３２０の下流、かつ第３の温度調整器３３５の上流に配置される。第５の流量制御装置３４０は、第３の温度調整器３３５の下流かつ流体出力３０２の上流に配置される。第６の流量制御装置３４５は、流体入力３０１の下流、第３の温度調整器３３５の下流、かつ第４の温度調整器３４９の上流に配置される。
【００５０】
一実施形態では、図３Ａと図３Ｂに示されたように、第１の流量制御装置３１０は二方弁３１１である。別の実施形態では、第３の流量制御装置３２５は、二方弁３２６でよい。別の実施形態では、第５の流量制御装置３４０は、二方弁３４１でよい。
【００５１】
一実施形態では、図３Ａに示されたように、第２の流量制御装置３１５は、三方弁３１６でよい。別の実施形態では、第４の流量制御装置３３０は、三方弁３３１でよい。別の実施形態では、第６の流量制御装置３４５は、三方弁３４６でよい。
【００５２】
図３Ｂに示されたように、一実施形態では、第２の流量制御装置３１５は、逆止め弁３１８と二方弁３１７を含みうる。逆止め弁３１８は、第１の流量制御装置３０５の下流かつ第２の温度調整器３２０の上流に配置される。逆止め弁３１８は、流体を調整して第１の温度調整器３０５から第２の温度調整器３２０に一方向に流れるようにする。二方向弁３１７は、第１の入力３０１の下流かつ第２の温度調整器３２０の上流に配置される。
【００５３】
図３Ｂに示されたように、別の実施形態では、第４の流量制御装置３３０は、逆止め弁３３３と二方弁３３２を含みうる。逆止め弁３３３は、第２の温度調整器３２０の下流及び第３の温度調整器３３５の上流に配置される。逆止め弁３３３は、流体を調整して第２の温度調整器３２０から第３の温度調整器３３５に一方向に流れるようにする。二方向弁３３２は、流体入力３０１の下流かつ第３の温度調整器３３５の上流に配置される。
【００５４】
図３Ｂに示されたように、別の実施形態では、第６の流量制御装置３４５は、逆止め弁３４８と二方弁３４７を含みうる。逆止め弁３４８は、第３の温度調整器３３５の下流かつ第４の温度調整器３４９の上流に配置される。逆止め弁３４８は、流体を調整して第３の温度調整器３３５から第４の温度調整器３４９に一方向に流れるようにする。二方向弁３４７は、流体入力３０１の下流かつ第４の温度調整器３４９の上流に配置される。
【００５５】
一実施形態では、第１の温度調整器３０５、第２の温度調整器３２０、第３の温度調整器３３５及び／又は第４の温度調整器３４９は、少なくとも１つの冷却装置、少なくとも１つの加熱装置、又はこれらの組み合わせを含みうる。冷却装置は、熱交換によって液体から熱を除去できる任意の装置として理解されたい。一実施形態では、冷却装置は、冷却器である。別の実施形態では、冷却装置は、水冷却器である。更に別の実施形態では、冷却装置は、モジュール式水冷却器である。加熱装置は、熱交換によって液体に熱を加えうる任意の装置として理解されたい。一実施形態では、加熱装置は、水加熱器である。別の実施形態では、加熱装置は、モジュール式水加熱器である。
【００５６】
図１Ａ、図１Ｂ、図２Ａ及び図２Ｂに示された原理と類似の原理を適用して、一実施形態では、第１の流量制御装置３１０、第２の流量制御装置３１５、第３の流量制御装置３２５、第４の流量制御装置３３０、第５の流量制御装置３４０及び第６の流量制御装置３４５は、第１の温度調整器３０５、第２の温度調整器３２０、第３の温度調整器３３５及び第４の温度調整器３４９が直列流になる位置でよい。一実施形態では、第１の流量制御装置３１０、第２の流量制御装置３１５、第３の流量制御装置３２５、第４の流量制御装置３３０、第５の流量制御装置３４０及び第６の流量制御装置３４５は、第１の温度調整器３０５、第２の温度調整器３２０、第３の温度調整器３３５及び第４の温度調整器３４９が並列流になる位置でよい。
【００５７】
別の実施形態では、流量制御装置３１０，３１５，３２５，３３０，３４０，３４５は、温度調整器３０５，３２０，３３５，３４９（図３Ａと図３Ｂに示されたような）が、２つの組、組１と組２に分割されるような位置にある。組１と組２は、並列流である。しかしながら、各組内で、温度調整器は直列流である。
【００５８】
一実施形態で、図３Ａと図３Ｂに示されたように、組１は、第１の温度調整器３０５と第２の温度調整器３２０を含んでもよく、第１の温度調整器３０５と第２の温度調整器３２０は直列流でもよい。組２は、第３の温度調整器３３５と第４の温度調整器３４９を含み、第３の温度調整器３３５と第４の温度調整器３４９は直列流でよい。この実施形態では、第１の流量制御装置３１０は閉位置にあり、作動流体は、第１の温度調整器３０５から流体出力３０２に流れることができない。第２の流量制御装置３１５は、作動流体が第１の温度調整器３０５から第２の温度調整器３２０に流れ、例えば直接流れうるが、作動流体が流体入力３０１から第２の温度調整器３２０に流れることができないような位置にある。第３の流量制御装置３２５は開位置にあり、作動流体は、第２の温度調整器３２０から流体出力３０２に流れ、例えば直接流れうる。第４の流量制御装置３３０は、作動流体が第２の温度調整器３２０から第３の温度調整器３３５に流れることができないが、作動流体が流体入力３０１から第３の温度調整器３３５に流れ、例えば直接流れうるような位置にある。第５の流量制御装置３４０は閉位置にあり、作動流体は、第１の温度調整器３３５から流体出力３０２に流れることができない。第６の流量制御装置３４５は、作動流体が第３の温度調整器３３５から第４の温度調整器３４９に流れ、例えば直接流れうるが、作動流体が流体入力３０１から第４の温度調整器３４９に流れることができないような位置にある。上記の実施形態が単なる例であることを理解されたい。組１と組２が、異なる数の温度調整器を含んでもよく、例えば、組１が３つの温度調整器を有し、組２が１つの温度調整器を有し、又はこの逆も同様であり、更に組間で並列流を維持し組内で直列流を維持しうる。
【００５９】
温度調整システムの様々な実施形態が、２つの調整器（図１Ａと図１Ｂに示されたような）、３つの調整器（図２Ａと図２Ｂに示されたような）及び４つの調整器（図３Ａと図３Ｂに示されたような）に限定されないことを理解されたい。調整器の数は、最大Ｎ個まで増えてもよく、Ｎは、２以上の任意の正整数でよい。
【００６０】
一実施形態では、温度調整システムは、流体接続された構成要素を含む流体回路を含む。流体回路は、総数Ｎ個の温度調整器を含み、各温度調整器は第ｉの温度調整器として表され、ここでｉ＝１，２，３，４，．．．Ｎであり、Ｎは２以上の任意の正整数である。流体回路は、更に、総数（２Ｎ−２）個の流量制御装置、１つの流体入力、及び１つの流体出力を含む。
【００６１】
Ｎ個の調整器と（２Ｎ−２）個の流量制御装置の構成は、３つの条件ｉ＝１、１＜ｉ＜Ｎ、及びｉ＝Ｎのとき以下のように数学的に記述されうる。
【００６２】
ｉ＝１のとき、第ｉの温度調整器が、流体入力の下流、第（２ｉ−１）の流量制御装置の上流、かつ第（２ｉ）の流量制御装置の上流に配置され、第（２ｉ−１）の流量制御装置は、第ｉの温度調整器の下流かつ流体出力の上流に配置され、第（２ｉ）の流量制御装置は、流体入力の下流、第（ｉ）の温度調整器の下流かつ第（ｉ＋１）の温度調整器の上流に配置される。
【００６３】
１＜ｉ＜Ｎのとき、第ｉの温度調整器が、第（２ｉ−２）の流量制御装置の下流、第（２ｉ−１）の流量制御装置の上流、かつ第（２ｉ）の流量制御装置の上流に配置され、第（２ｉ−１）の流量制御装置は、ｉ番目の温度調整器の下流かつ流体出力の上流に配置され、第（２ｉ）の流量制御装置は、流体入力の下流、第（ｉ）の温度調整器の下流、かつ第（ｉ＋１）の調整器の上流に配置される。
【００６４】
ｉ＝Ｎのとき、第ｉの温度調整器は、第（２ｉ−２）の流量制御装置の下流かつ流体出力の上流に配置される。
【００６５】
別の実施形態（例えば、Ｎ個の調整器と（２Ｎ−２）個の流量制御装置を有する温度調整システム）では、流量制御装置は、任意の温度調整器が別の温度調整器と並列及び／又は直列流になりうるような様々な位置になりうる。
【００６６】
図４は、温度調整システムの制御方法４００の一実施形態を示す。一実施形態では、図４に示されたように、制御方法は、システムに流れ込む作動流体の量に関する情報を受け取るステップ４０５と、作動流体の目標温度を決定するステップ４１０と、作動流体の目標温度を得るために温度調整システムの動作を決定するステップ４１５とを含む。温度調整システムの動作を決定するステップは、更に、流体量がしきい値量より少ないときに、温度調整システム内の少なくとも２つの温度調整器が直列流になるように流量制御装置を位置決めするステップ４２０を含む。
【００６７】
システムに流れ込む作動流体の量に関する情報を受け取る方法は、更に、作動流体可用性に関する情報を受け取るステップ４０６及び／又は作動流体の要求量に関する情報を受け取るステップ４０７を含む。
【００６８】
作動流体可用性に関する情報を受け取るステップ４０６は、更に、作動流体供給に関する情報を受け取るステップ、政府規制に関する情報を受け取るステップなどを含みうる。作動流体供給に関する情報を受け取るステップは、流体入力における流体流量を測定するステップを含みうる。政府規制に関して受け取る情報は、例えば、都市用水管理予定、水使用量の制限などに関する情報を含みうる。
【００６９】
作動流体の要求量に関する情報を受け取るステップ４０７は、更に、予測可能な予定に関する情報を受け取るステップを含みうる。予測可能な予定は、例えば、ホテルのチェックイン、チェックアウト予定、会議の会合予定、工場の作業予定、学校の授業予定、オフィスビルの作業予定、ショッピングモールの運用予定などを含みうる。
【００７０】
作動流体の目標温度を決定するステップ４１０は、更に、流体入力における流体温度に関する情報を受け取るステップ４１１、流体出力における流体温度に関する情報を受け取るステップ４１２、室内温度に関する情報を受け取るステップ４１３、室外温度に関する情報を受け取るステップ４１４などを含みる。室外温度は、実測、天気予報などによって取得されうる。
【００７１】
温度調整システムの動作を決定するステップ４１５は、温度調整器の作業荷重の情報（例えば、コンプレッサのエネルギー消費量、ファン速度、作動流体流量、流体ポンプエネルギー消費量など）を受け取るステップ４１６を含みうる。温度調整システムの動作を決定するステップ４１５は、更に、温度調整器の冷却／加熱能力を調整する後続プロセス４１７などを含みうる。
【００７２】
図５は、１つのコントローラ、２つの温度調整器及び２つの流量制御装置を有する温度調整システムの一実施形態を示す。図５では、温度調整システム５００は、第１の温度調整器５１０、第２の温度調整器５２０、第１の流量制御装置５１４、第２の流量制御装置５２４、流体入力５０１、流体出力５０２及びコントローラ５０５を含む。
【００７３】
図５に示されたように、コントローラ５０５は、第１の温度調整器５１０、第２の温度調整器５２０、第１の流量制御装置５１４及び第２の流量制御装置５２４との個別の通信（点線として示された）を確立する。通信は、電気／電磁気／電子通信でよい。一実施形態では、通信は、物理配線によって行われうる。別の実施形態では、通信は、無線通信によって行われうる。コントローラ５０５は、プロセッサ、メモリ、クロック及び入力／出力（Ｉ／Ｏ）インタフェース（図示せず）を含みうる。いくつかの実施形態では、コントローラは、より少数又は追加の構成要素を含みうる。
【００７４】
一実施形態では、コントローラ５０５は、温度調整器５１０，５２０の運転能力を制御しうる。
【００７５】
一実施形態では、コントローラ５０５は、第１の流量制御装置５１４と第２の流量制御装置５２４を、第１の温度調整器５１０と第２の温度調整器５２０が直列流になる位置に制御しうる。この実施形態では、コントローラ５０５は、第１の流量制御装置５１４を、流体が第１の温度調整器５１０から流体出力５０２に流れないような位置で制御する。コントローラ５０５は、更に、第２の流量制御装置５２４を、作動流体が流体入力５０１から第２の温度調整器５２０に流れえないが、作動流体が第１の温度調整器５１０から第２の温度調整器５２０まで流れ、例えば、直接流れうるように制御する。
【００７６】
一実施形態では、コントローラ５０５は、第１の流量制御装置５１４と第２の流量制御装置５２４を、第１の温度調整器５１０と第２の温度調整器５２０が並列流になる位置に制御しうる。この実施形態では、コントローラ５０５は、第１の流量制御装置５１４を、作動流体が第１の温度調整器５１０から流体出力５０２に流れ、例えば、直接流れうるように制御する。コントローラ５０５は、更に、第２の流量制御装置５２４を、作動流体が流体入力５０１から第２の温度調整器５２０に流れ、例えば、直接流れうるが、作動流体が第１の温度調整器５１０から第２の温度調整器５２０に流れえないように制御する。
【００７７】
図５に示されたコントローラ５０５が、本出願に示された任意の温度調整システム、例えば、図１Ａ，図１Ｂ，図２Ａ，図２Ｂ，図３Ａ，図３Ｂに適用されうることを理解されたい。コントローラが、更に、Ｎ個の調整器（Ｎは正整数かつＮ≧２）と（２Ｎ−２）個の流量制御装置を有する温度調整システム内で適用されうることを理解されたい。コントローラは、温度調整システム内の流量制御装置の位置を変更して、温度調整器の流体流が変更可能（例えば、並列、直列、組間で並列、任意の組内で直列など）になるように使用されうる。流体流を変更する自由度の例は、図１Ａ、図１Ｂ、図２Ａ、図２Ｂ、図３Ａ及び図３Ｂの異なる実施形態において述べられる。
【００７８】
図４に示されたような制御方法を使用して、コントローラを任意の温度調整システムに適用できることを理解されたい。コントローラ５０５は、作動流体の流体量に関する情報を受け取り４０５、作動流体の目標温度を決定し４１０、温度調整システムの動作を決定しうる４１５。また、コントローラ５０５は、動作を決定し、流体量がしきい値量より少ないとき、コントローラは、温度調整システム内の少なくとも２つの温度調整器が直列流になるように流量制御装置を位置決めできる４２０。
【００７９】
態様１〜１６のいずれも態様１６及び１７〜２２のいずれとも組み合わされうることに注意されたい。態様１６は、態様１７〜２２のいずれとも組み合わされうる。
【００８０】
態様１。流体接続された構成要素を含む流体回路を備え、流体回路が、第１及び第２の温度調整器、第１及び第２の流量制御装置、流体入力並びに流体出力を含み、
流体入力が、第１の温度調整器の上流かつ第２の流量制御装置の上流に配置され、
流体出力が、第１の流量制御装置の下流かつ第２の温度調整器の下流に配置され、
第１の温度調整器が、流体入力の下流、第１の流量制御装置の上流、かつ第２の流量制御装置の上流に配置され、
第２の温度調整器が、第２の流量制御装置の下流かつ流体出力の上流に配置され、
第１の流量制御装置が、第１の温度調整器の下流かつ流体出力の上流に配置され、
第２の流量制御装置が、流体入力の下流、第１の温度調整器の下流、かつ第２の温度調整器の上流に配置された温度調整システム。
【００８１】
態様２。第１の流量制御装置が二方弁を含む、態様１による温度調整システム。
【００８２】
態様３。第２の流量制御装置が三方弁を含む、態様１〜２による温度調整システム。
【００８３】
態様４。第２の流量制御装置が、更に、逆止め弁と二方弁を含み、
逆止め弁が、第１の温度調整器の下流かつ第２の温度調整器の上流に配置され、逆止め弁が、流体を調整して第１の温度調整器から第２の温度調整器に一方向に流れるようにし、
二方向弁が、流体入力の下流かつ第２の温度調整器の上流に配置された、態様１〜２による温度調整システム。
【００８４】
態様５。第１又は第２の温度調整器が、少なくとも１つの冷却装置又は少なくとも１つの加熱装置を含む、態様１〜４による温度調整システム。
【００８５】
態様６。コントローラを更に含み、コントローラが、温度調整器と流量制御装置を制御する、態様１〜５による温度調整システム。
【００８６】
態様７。流体回路が、更に、第３の温度調整器、第３の流量制御装置及び第４の流量制御装置を備え、
第３の温度調整器が、第４の流量制御装置の下流かつ流体出力の上流に配置され、
第３の流量制御装置が、第２の温度調整器の下流かつ流体出力の上流に配置され、
第４の流量制御装置が、流体入力の下流、第２の温度調整器の下流かつ第３の温度調整器の上流に配置された、態様１〜６による温度調整システム。
【００８７】
態様８。第３の流量制御装置が二方弁を含む、態様７による温度調整システム。
【００８８】
態様９。第４の流量制御装置が三方弁を含む、態様７〜８による温度調整システム。
【００８９】
態様１０。第４の流量制御装置が、更に、逆止め弁と二方弁を含み、
逆止め弁が、第２の温度調整器の下流かつ第３の温度調整器の上流に配置され、逆止め弁が、流体を調整して第２の温度調整器から第３の温度調整器に一方向に流れるようにし、
二方向弁が、流体入力の下流かつ第３の温度調整器の上流に配置された、態様７〜８による温度調整システム。
【００９０】
態様１１。第３の温度調整器が、少なくとも１つの冷却装置又は少なくとも１つの加熱装置を含む、態様７〜１０による温度調整システム。
【００９１】
態様１２。流体回路が、更に、第４の温度調整器、第５の流量制御装置、及び第６の流量制御装置を備え、
第４の温度調整器が、第６の流量制御装置の下流かつ流体出力の上流に配置され、
第５の流量制御装置が、第３の温度調整器の下流かつ流体出力の上流に配置され、
第６の流量制御装置が、流体入力の下流、第３の温度調整器の下流、かつ第４の温度調整器の上流に配置された、態様７〜１１による温度調整システム。
【００９２】
態様１３。第５の流量制御装置が二方弁を含む、態様１２による温度調整システム。
【００９３】
態様１４。第６の流量制御装置が三方弁を含む、態様１２〜１３による温度調整システム。
【００９４】
態様１５。第６の流量制御装置が、更に、逆止め弁と二方弁を含み、
逆止め弁が、第３の温度調整器の下流かつ第４の温度調整器の上流に配置され、逆止め弁が、流体を調整して第３の温度調整器から第４の温度調整器に一方向に流れるようにし、
二方向弁が、流体入力の下流かつ第４の温度調整器の上流に配置された、態様１２〜１３による温度調整システム。
【００９５】
態様１６。流体接続された構成要素を含む流体回路を備え、流体回路が、総数ｉ個の温度調整器と（ここで、ｉ＝１，２，３，４，．．．Ｎ。Ｎは２以上の任意の正整数）、総数（２Ｎ−２）個の流量制御装置と、流体入力と、流体出力とを含み、
ｉ＝１のとき、
第ｉの温度調整器が、流体入力の下流、第（２ｉ−１）の流量制御装置の上流、かつ第（２ｉ）の流量制御装置の上流に配置され、
第（２ｉ−１）の流量制御装置が、第ｉの温度調整器の下流、かつ流体出力の上流に配置され、
第（２ｉ）の流量制御装置が、流体入力の下流、第ｉの温度調整器の下流、かつ第（ｉ＋１）の温度調整器の上流に配置され、
１＜ｉ＜Ｎのとき、
第ｉの温度調整器が、第（２ｉ−２）の流量制御装置の下流、第（２ｉ−１）の流量制御装置の上流、かつ第（２ｉ）の流量制御装置の上流に配置され、
第（２ｉ−１）の流量制御装置が、第ｉの温度調整器の下流、かつ流体出力の上流に配置され、
第（２ｉ）の流量制御装置が、流体入力の下流、第ｉの温度調整器の下流、かつ第（ｉ＋１）の調整器の上流に配置され、
ｉ＝Ｎのとき、
第ｉの温度調整器が、第（２ｉ−２）の流量制御装置の下流、かつ流体出力の上流に配置される温度調整システム。
【００９６】
態様１７。温度調整システムを制御する方法であって、
システムに流れ込む作動流体の量に関する情報を受け取るステップと、
作動流体の目標温度を決定するステップと、
作動流体の目標温度を取得するために温度調整システムの動作を決定するステップとを備え、更に、
流体量がしきい値量より少ないとき、温度調整システム内の少なくとも２つの温度調整器が直列流になるように流量制御装置を位置決めするステップを備える、温度調整システムを制御する方法。
【００９７】
態様１８。作動流体の流体量に関する情報を受け取るステップが、
作動流体可用性に関する情報を受け取るステップと、
作動流体の要求に関する情報を受け取るステップとを含む、態様１７の方法。
【００９８】
態様１９。作動流体可用性に関する情報を受け取るステップが、
作動流体供給に関する情報を受け取るステップと、
政府規制に関する情報を受け取るステップとを含む、態様１８の方法。
【００９９】
態様２０。作動流体の要求量に関する情報を受け取るステップが、
予測可能な予定に関する情報を受け取るステップを更に含む、態様１８の方法。
【０１００】
態様２１。作動流体の目標温度を決定するステップが、
流体入力における流体温度に関する情報を受け取るステップ、
流体出力における流体温度に関する情報を受け取るステップ、
室内温度に関する情報を受け取るステップ及び／又は
室外温度に関する情報を受け取るステップを含む、態様１７〜２０による方法。
【０１０１】
態様２２。温度調整システムの動作を決定するステップが、
温度調整器の作業負荷の情報を受け取るステップ及び／又は、
温度調整器の冷却／加熱能力を調整するステップを含む、態様１７〜２１の方法。
【０１０２】
以上の開示に関して、本発明の範囲から逸脱することなく詳細の変更が行われうることを理解されたい。明細及び描写された実施形態は、単なる例示と見なされるべきであり、本発明の真の範囲及び趣旨は特許請求の範囲の広義の趣旨によって示されるものである。
【図１Ａ】
2018505375.tif 000003
【図１Ｂ】
2018505375.tif 000004
【図２Ａ】
2018505375.tif 000005
【図２Ｂ】
2018505375.tif 000006
【図３Ａ】
2018505375.tif 000007
【図３Ｂ】
2018505375.tif 000008
【図４】
2018505375.tif 000009
【図５】
2018505375.tif 000010
【国際調査報告】
2018505375.tif 000011
2018505375.tif 000012
2018505375.tif 000013